(57)【要約】  本発明は、車両の開放可能な閉鎖要素のロックを解除するロック解除ユニット（１００）であって、切替えユニット（１３０）を有するハウジング（１１０）と、ハウジング（１１０）に対して揺動可能な作動要素（１２０）であって、切替えユニット（１３０）に対して、非作動の静止位置（０）から少なくとも２つの作動位置（１，２）へ揺動可能である、作動要素（１２０）と、を備える、ロック解除ユニット（１００）に関する。切替えユニット（１３０）が、ハウジング（１１０）内に配置されていて、かつハウジング（１００）に対して可逆式に少なくとも２つの異なる切替え点位置（ａ），ｂ））に配置可能であり、これによりロック解除ユニット（１００）の、揺動可能な作動要素（１２０）に、静止位置（０）から外へ揺動可能な作動要素（１２０）の切替え角度（α，β）に依存して、それぞれ異なるトリガ切替え点を対応付け可能であることが規定されている。
2019534962.tif 000002
【特許請求の範囲】
【請求項１】
車両の開放可能な閉鎖要素のロックを解除するロック解除ユニット（１００）であって、
切替えユニット（１３０）を有するハウジング（１１０）と、
前記ハウジング（１１０）に対して揺動可能な作動要素（１２０）であって、前記切替えユニット（１３０）に対して、非作動の静止位置（０）から少なくとも２つの作動位置（１，２）へ揺動可能である、作動要素（１２０）と、
を備える、ロック解除ユニット（１００）において、
前記切替えユニット（１３０）は、前記ハウジング（１１０）内に配置されていて、かつ前記ハウジング（１１０）に対して可逆式に少なくとも２つの異なる切替え点位置（ａ），ｂ））に配置可能であり、これにより前記ロック解除ユニット（１００）の、揺動可能な前記作動要素（１２０）に、前記静止位置（０）から外へ揺動可能な前記作動要素（１２０）の切替え角度（α，β）に関連して、それぞれ異なるトリガ切替え点を対応付け可能である
ことを特徴とする、ロック解除ユニット（１００）。
【請求項２】
前記切替えユニット（１３０）は、保持要素（１４０）に固く組み込まれて配置されており、該保持要素（１４０）は、前記ロック解除ユニット（１００）の組立て状態で、前記ハウジング（１１０）内に配置されていて、かつ前記ハウジング（１１０）に対して可逆式に少なくとも２つの異なる切替え点位置（ａ），ｂ））に配置可能であることを特徴とする、請求項１記載のロック解除ユニット（１００）。
【請求項３】
前記ハウジング（１１０）は、収容開口（１１０−１）を有し、該収容開口（１１０−１）に、前記ロック解除ユニット（１００）の組立て状態で、少なくとも組み込まれた切替えユニット（１３０）が、または前記保持要素（１４０）および前記組み込まれた切替えユニット（１３０）が貫通係合しており、これにより前記切替えユニット（１３０）は、揺動可能な前記作動要素（１２０）が非作動の静止位置（０）にあるとき、少なくとも２つの切替え点位置（ａ），ｂ））のうちの１つにおける前記切替えユニット（１３０）の配置に基づいて、揺動可能な前記作動要素（１２０）の作動部材（１２０−１）から所定の間隔を置いて配置されていることを特徴とする、請求項２記載のロック解除ユニット（１００）。
【請求項４】
揺動可能な前記作動要素（１２０）の非作動の静止位置（０）を起点として、第１の切替え点位置（ａ））における前記切替えユニット（１３０）の配置に基づいて、前記切替えユニット（１３０）と前記作動部材（１２０−１）との間に第１の間隔を設定可能であり、該第１の間隔は、揺動可能な前記作動要素（１２０）が第１の切替え角度（α）だけ第１の作動位置（１）に作動させられると克服され、これにより前記作動部材（１２０−１）と前記切替えユニット（１３０）との間で第１のトリガ切替え点を形成可能であることを特徴とする、請求項３記載のロック解除ユニット（１００）。
【請求項５】
揺動可能な前記作動要素（１２０）の非作動の静止位置（０）を起点として、第２の切替え点位置（ｂ））における前記切替えユニット（１３０）の配置に基づいて、前記切替えユニット（１３０）と前記作動部材（１２０−１）との間に第２の間隔を設定可能であり、該第２の間隔は、揺動可能な前記作動要素（１２０）が第２の切替え角度（β）だけ第２の作動位置（２）に作動させられると克服され、これにより前記作動部材（１２０−１）と前記切替えユニット（１３０）との間で第２のトリガ切替え点を形成可能であることを特徴とする、請求項３記載のロック解除ユニット（１００）。
【請求項６】
前記切替えユニット（１３０）が組み込まれた前記保持要素（１４０）は、前記ハウジング（１１０）の前記収容開口（１１０−１）内に、前記ハウジング（１１０）に対して摺動可能に配置されていることを特徴とする、請求項２記載のロック解除ユニット（１００）。
【請求項７】
前記保持要素（１４０）および前記切替えユニット（１３０）は、相互に固定されて、予め製作された第１の組立て部材として設けられており、揺動可能な前記作動要素（１２０）および前記作動部材（１２０−１）は、相互に固定されて、予め製作された第２の組立て部材として設けられており、前記第１の組立て部材と前記第２の組立て部材とを組み立てて前記ロック解除ユニット（１００）を形成可能であり、前記作動要素（１２０）は、揺動可能に前記ハウジング（１１０）に支承されており、前記保持要素（１４０）は、摺動可能に前記ハウジング（１１０）の前記収容開口（１１０−１）に支持されていることを特徴とする、請求項２を引用する請求項１記載のロック解除ユニット（１００）。
【請求項８】
前記ハウジング（１１０）は、少なくとも前記保持要素（１４０）が配置される領域で、円弧状の部分を有し、これにより前記ハウジング（１１０）内に配置された、前記切替えユニット（１３０）が組み込まれた前記保持要素（１４０）は、前記ハウジング（１１０）に対して、円弧上を摺動可能に配置されており、該円弧の半径は、前記ハウジング（１１０）に対して揺動可能な前記作動要素（１２０）の揺動軸線（Ｙ）に対して半径方向に配置されていることを特徴とする、請求項７記載のロック解除ユニット（１００）。
【請求項９】
前記ロック解除ユニット（１００）は、車両の所定の構造部材（２００）に、特に開放可能な閉鎖要素に、特に車両のテールゲートに配置されていることを特徴とする、請求項１記載のロック解除ユニット（１００）。
【請求項１０】
請求項１から９までの少なくとも１項記載のロック解除ユニット（１００）が配置された少なくとも１つの構造部材（２００）を備える車両。
【発明の詳細な説明】
【技術分野】
【０００１】
本発明は、開放可能な閉鎖要素、特に車両のテールゲートのロックを解除するロック解除ユニットであって、切替えユニットと、揺動可能な作動要素であって、切替えユニットに対して、非作動の静止位置から少なくとも２つの作動位置へ揺動可能である、作動要素と、を備える、ロック解除ユニットに関する。
【０００２】
文献独国特許出願公開第１０２０１３０１３１７６号明細書（DE 10 2013 013 176 A1）において、車両の閉鎖要素を開放する装置が公知であり、この装置は、揺動可能な作動要素を含み、作動要素は、静止位置から外へ、開いたアクティブ化位置へ揺動可能である。閉鎖要素は、たとえばテールゲートであってよい。この装置は、切替えユニットをさらに含む。作動要素が、それぞれ異なるアクティブ化位置へ揺動可能であり、切替えユニットが、複数の切替え段を含み、切替え段に、作動要素のそれぞれ１つのアクティブ化位置が対応付けられていることが規定されている。作動要素は、各々のアクティブ化位置で、別の角度位置へ揺動させられる。この場合、切替えユニットは、複数の切替え段を含み、この場合、これらの切替え段は、揺動可能な作動要素のそれぞれ１つのアクティブ化位置に対応する。複数の切替え段により、前掲の文献独国特許出願公開第１０２０１３０１３１７６号明細書（DE 10 2013 013 176 A1）によれば、様々な機構がアクティブ化可能であり、たとえば手を使って手動で開放するために閉鎖要素のロック解除だけがアクティブ化可能である、または閉鎖要素の自動的な開放がアクティブ化可能である。したがって、それぞれ異なるアクティブ化位置は、作動要素のそれぞれ異なる揺動位置により形成され、この場合、作動要素は、各々のアクティブ化位置で別の角度位置へ揺動させられる。
【０００３】
それぞれ異なるアクティブ化位置において閉鎖要素、特にテールゲートを開放する装置を備える揺動可能な作動要素が、別の関連においても知られている。揺動可能な作動要素の作動部材は、ロック解除ユニットのスイッチに、中にスイッチが定位置に配置されたハウジング部分に対する揺動可能な作動要素の揺動角度に依存して切替え点を形成する。ハウジング部分と作動要素とは、組立て状態で、たとえば閉鎖要素、特にテールゲートのロック解除ユニットとして使用される装置を形成する。ロック解除ユニットの組立て状態で、既にハウジング内に組み込まれたスイッチとハウジング部分との組立て体が、第１の組立て部材とみなされ、既に組み込まれた作動部材と揺動可能な作動要素との組立て体が、第２の組立て部材とみなされる。換言すると、両方の組立て部材が、閉鎖要素、特にテールゲートのロック解除ユニットを形成し、組立て状態で、テールゲートに取り付けられている。
【０００４】
実際に、様々な車両においてそれぞれ異なる切替え点を実現可能であることが所望されるが、切替え点は、既述の文献独国特許出願公開第１０２０１３０１３１７６号明細書（DE 10 2013 013 176 A1）の場合のように、揺動可能な作動要素の揺動角度に依存して形成されるべきものではない。これまで従来慣用のロック解除ユニットでは、切替え点は、中にスイッチが定位置に配置されたハウジング部分に対する揺動可能な作動要素の揺動角度に依存して確定されるのではなく、第２の組立て部材としてそれぞれ異なる作動要素が使用され、作動要素は、作動要素における作動部材がそれぞれ異なる幾何学的な構成を有することによりそれぞれ異なり、これにより作動部材は、その他は変わらない作動要素の取付け時にスイッチに対してそれぞれ異なる位置に配置されており、これによりハウジング部分に対する、作動部材によりそれぞれ異なる作動要素の同じ揺動角度で、ハウジング部分に組み込まれたスイッチに、それぞれ異なる切替え点が生じる。もちろん、作動要素における作動部材のそれぞれ異なる幾何学的な構成により、ハウジング部分に対する、揺動可能な作動要素の揺動角度がそれぞれ異なっていても、依然としてそれぞれ異なる切替え点が生じる。
【０００５】
したがって、欠点を要約すると、所望のそれぞれ異なる切替え点を有する、様々な車両用の組立てラインで、それぞれ異なる作動要素を第２の第２の組立て部材として製作し、貯蔵し、取り違えることなく常に同一構造で使用される第１の組立て部材、したがってハウジング部分に対応付けし、取り付けなければならない。
【０００６】
本発明の課題は、可変に使用可能であるロック解除ユニットを提供することにある。
【０００７】
本発明の出発点は、車両の開放可能な閉鎖要素のロックを解除するロック解除ユニットであって、切替えユニットを有するハウジングと、ハウジングに対して揺動可能な作動要素であって、切替えユニットに対して、非作動の静止位置から少なくとも２つの作動位置へ揺動可能である、作動要素と、を備える、ロック解除ユニットである。
【０００８】
本発明によれば、切替えユニットは、ハウジング内に配置されていて、かつハウジングに対して可逆式に少なくとも２つの異なる切替え点位置に配置可能であり、これによりロック解除ユニットの、揺動可能な作動要素に、静止位置から外へ揺動可能な作動要素の切替え角度に関連して、異なるトリガ切替え点を対応付け可能である。
【０００９】
開放可能な閉鎖要素は、たとえばテールゲートである。ロック解除ユニットは、直接にテールゲートに配置されている、または車両の別の構造部材に配置されていて、テールゲートのロック解除に用いられる。開放可能な閉鎖要素は、あらゆる種類の蓋であってよく、この場合、ロック解除ユニットは、蓋自体にまたは蓋のロックを解除する別の構造部材に配置されている。
【００１０】
本発明に係る構成手段の利点によれば、単一の切替えユニットを用いて、切替えユニットのそれぞれ異なる配置により、ロック解除ユニットにそれぞれ異なるトリガ切替え点が実現可能である。したがってロック解除ユニットは、可逆式に使用可能である。というのもロック解除ユニットは、車両側にそれぞれ異なるトリガ切替え点が所望されるのかどうかとは関係なくあらゆる車両に取付け可能であるからである。トリガ切替え点は、ロック解除ユニットの使用前後に常時変化可能である。というのも少なくとも２つの異なる切替え点位置を設定可能であるからである。これまで、様々な車両に対して、互いに対して異なるトリガ切替え点を有する様々なロック解除ユニットが使用された。これらのロック解除ユニットは、いまや単一のロック解除ユニットにより代用され、これにより好適には構成部材の数量が減じられる。
【００１１】
好適には、ロック解除ユニットの切替えユニットは、保持要素に固く組み込まれて配置されており、保持要素は、ロック解除ユニットの組立て状態で、ハウジング内に配置されていて、かつハウジングに対して可逆式に少なくとも２つの異なる切替え点位置に配置可能である。
【００１２】
その利点によれば、切替えユニットは、保護されて保持要素に配置されており、この場合、さらにそれぞれ異なる切替えユニットが使用可能であり、これらの切替えユニットは、保持要素における切替えユニットの収容部の簡単な適合により使用可能である。したがってそれぞれ異なる切替えユニットに依存する、ハウジングに対する保持要素の適合は、好適には不要である。
【００１３】
好適にはさらに、ロック解除ユニットのハウジングは、収容開口を有し、収容開口に、ロック解除ユニットの組立て状態で、少なくとも組み込まれた切替えユニットが、または保持要素および組み込まれた切替えユニットが貫通係合しており、これにより切替えユニットは、揺動可能な作動要素が非作動の静止位置にあるとき、少なくとも２つの切替え点位置のうちの１つにおける切替えユニットの配置に依存して、揺動可能な作動要素の作動部材から所定の間隔を置いて配置されている。この構成手段は、作動要素に対する切替えユニットの調整に関して有利である。明細書中に詳説されているように、切替えユニットが収容開口を通って差し込まれ、その後で切替えユニットが所定の位置で保持要素に係止されるまたはクリップ留めされることにより、保持要素における切替えユニットの精密な調整を実現することが可能である。保持要素自体は、あらゆる場合に正確にハウジング内に位置決めすることが可能であり、そのために、保持要素に、対応するガイド要素が配置されており、ガイド要素は、やはり明細書に詳説されているように、少なくとも２つの切替え点位置の両方で、ハウジングの、それぞれ配置された位置決め凹部に係合する。
【００１４】
本発明の好適な形態によれば、一方では、揺動可能な作動要素の非作動の静止位置を起点として、第１の切替え点位置における切替えユニットの配置に基づいて、切替えユニットと作動部材との間に第１の間隔を設定可能であり、第１の間隔は、揺動可能な作動要素が第１の切替え角度だけ第１の作動位置に作動させられると克服され、つまりゼロとなって、これにより作動部材と切替えユニットとの間で第１のトリガ切替え点が形成（発生）可能である。
【００１５】
本発明の好適な形態によれば、他方では、揺動可能な作動要素の非作動の静止位置を起点として、第２の切替え点位置における切替えユニットの配置に基づいて、切替えユニットと作動部材との間に第２の間隔を設定可能であり、第２の間隔は、揺動可能な作動要素が第２の切替え角度だけ第２の作動位置に作動させられると克服され、つまりゼロとなって、これにより作動部材と切替えユニットとの間で第２のトリガ切替え点が形成（発生）可能である。
【００１６】
好適には、切替えユニットが組み込まれた保持要素は、ハウジングの収容開口内に、ハウジングに対して摺動可能に配置されており、これによりわずかな手間で実現することが可能であり、特に簡単に実施することが可能である有利な構成手段が提供される。というのもそれぞれ異なる切替え点位置を設定するために保持要素の位置限定的な変位しか必要とされないからである。
【００１７】
さらに好適には、保持要素および切替えユニットは、相互に固定されて、予め製作された第１の組立て部材として設けられており、揺動可能な作動要素および作動部材は、相互に固定されて、予め製作された第２の組立て部材として設けられており、第１の組立て部材と第２の組立て部材とを組み立ててロック解除ユニットを形成可能であり、作動要素は、揺動可能にハウジングに支承されており、保持要素は、摺動可能にハウジングの収容開口に支持されている。好適には、これにより、作業者は組立てラインで予め製作された組立て部材を組み合わせてロック解除ユニットを形成するだけでよいことが達成される。
【００１８】
さらに、本発明によれば、好適には、ハウジングは、少なくとも保持要素が配置された領域で、円弧状の部分を有し、これによりハウジング内に配置された、切替えユニットが組み込まれた保持要素は、ハウジングに対して、円弧上を摺動可能に配置されており、円弧の半径は、ハウジングに対して揺動可能な作動要素の揺動軸線に対して半径方向に配置されている。これにより好適には、切替えユニットの切替え要素に対する、静止位置での作動要素の作動部材の切替え面の間隔が、切替えユニットが組み込まれた保持要素の摺動距離に依存して、わずかな摺動距離で、作動要素の作動部材の切替え面に対する比較的大きな間隔変化を生じさせることが達成される。というのも円弧上の保持要素の運動が、幾何学的に、作動要素の作動部材の切替え面に対する、組み込まれた切替えユニットの切替え要素のより迅速な接近を惹起するからである。
【００１９】
以下に、本発明の実施の形態を付属の図面に基づいて説明する。
【図面の簡単な説明】
【００２０】
【図１Ａ】本発明に係るロック解除ユニットの断面図であって、ロック解除ユニットの切替えユニットがロック解除ユニットの作動要素に対して、早い切替え点位置に配置されていて、作動要素が静止位置に配置されている。
【図１Ｂ】図１Ａによるロック解除ユニットの断面図であって、切替えユニットがロック解除ユニットの作動要素に対して、早い切替え点位置に配置されていて、作動要素が第１の作動位置に配置されている。
【図２Ａ】本発明に係るロック解除ユニットの断面図であって、ロック解除ユニットの切替えユニットがロック解除ユニットの作動要素に対して、遅い切替え点位置に配置されていて、作動要素が静止位置に配置されている。
【図２Ｂ】図２Ａによるロック解除ユニットの断面図であって、切替えユニットが作動要素に対して、遅い切替え点位置に配置されていて、作動要素が第２の作動位置に配置されている。
【図３】図示されていない作動要素からロック解除ユニットのハウジングの方向に観察した、斜め横下から見たロック解除ユニットの斜視図である。
【図４】作動要素の揺動軸線のほぼ長手方向に作動要素の作動部材を横から見たロック解除ユニットの斜視図である。
【図５】各々の切替え点位置における切替えユニットの位置決めを明確にするためにロック解除ユニットの詳細を示す平面図である。
【図６】各々の切替え点位置における切替えユニットの位置決めを明確にするためにロック解除ユニットの詳細を示す斜視図である。
【００２１】
以下に、本発明を付属の図面に基づいて説明する。ここでの記述を目的として、「−ｘ」（「マイナスｘ」）で車両の通常の走行方向を表し、「＋ｘ」（「プラスｘ」）で通常の走行方向とは逆向きの方向を表し、「ｙ」でｘ方向に対して横向きの水平の方向を表し、「ｚ」でｘ方向に対して横向きの鉛直の方向を表すものとする。カルダン座標系におけるこれらの空間方向の表示は、自動車産業で広く使用される座標系に対応する。全図において、以下に同一の符号は同一の構成部材に対して用いられ、その際、場合により各図面において既に紹介された全ての構成部材を符号に基づいて新たに再度説明することはしない。
【００２２】
本発明にとって主要な構成部材の以下の説明に関して、図１Ａ〜図２Ｂおよび図３を一緒に考察することが勧められる。
【００２３】
これらの図は、ロック解除ユニット１００を示しており、ロック解除ユニット１００は、図１Ａ〜図２Ｂにおいて示唆しただけの構造要素２００に配置されている。
【００２４】
構造要素は、たとえばテールゲートである。ロック解除ユニット１００は、たとえばテールゲート・ロック解除ユニットである。
【００２５】
ロック解除ユニット１００は、ハウジング１１０を含み、ハウジング１１０は、構造要素２００と固く結合されている。ハウジング１１０に、揺動可能な作動要素１２０が配置されており、作動要素１２０は、ハウジング１１０に対してＹ軸線を中心に揺動可能であり、これにより作動要素１２０は、構造要素２００に対して変位可能である。ハウジング１１０と、グリップフラップとも称される作動要素１２０の下端との間に、作動要素１２０の非作動の静止位置０で、係合隙間Ｅが設けられている。ロック解除ユニット１００の使用者の指Ｆが係合隙間Ｅに係合して、作動要素１２０を作動させる、特に揺動軸線Ｙを中心に複数の作動位置１，２へと揺動させることが可能であり、これについてはさらに詳説する。
【００２６】
作動要素１２０は、作動部材１２０−１を有し、作動部材１２０−１は、所定の外側輪郭を有し、この場合、外側輪郭の部分面が、切替え面１２０−１１を形成し、切替え面１２０−１１は、複数の作動位置のうちの各々の作動位置１，２で、切替えユニット１３０の少なくとも１つのスイッチに当接する。作動要素１２０の作動部材１２０−１は、本実施の形態では、切替えカムである。
【００２７】
予め作動部材１２０−１が組み込まれた作動要素１２０は、第２の組立て部材として予め製作して用意され、ハウジング１１０に揺動可能に組み付けられる。換言すると、作動要素１２０のグリップフラップに対する、組み込まれた作動部材１２０−１の、特に切替えカムの位置は、第２の組立て部材の組立て後には、もはや変化不能である。
【００２８】
切替えカムは、作動要素１２０のほぼ長手方向中央軸線Ｘ上に配置されており、この場合、長手方向中央軸線Ｘは、長手方向中央軸線Ｘに対して直交方向に延在する、作動要素１２０の揺動軸線Ｙと交差する。
【００２９】
作動要素１２０の長手方向中央軸線Ｘの延長部にハウジング１１０が配置されているので、作動要素１２０の長手方向中央軸線Ｘは、実質的にハウジング１１０の長手方向中央軸線Ｘでもある。
【００３０】
ハウジング１１０のほぼ長手方向中央軸線Ｘ上で、ハウジング１１０にハウジング開口が形成されており、ハウジング開口に、組立て状態で、スイッチ１３０が貫通係合する。
【００３１】
切替えユニット１３０のスイッチは、組立て状態で、保持要素１４０に不動に配置されていて、特にクリップ留めされている。保持要素１４０および切替えユニット１３０は、組立て後、第１の組立て部材を形成し、この場合、保持要素１４０に対する切替えユニット１３０の位置は、組立て後、もはや変位不能である。
【００３２】
保持要素１４０自体は、スライダ状のガイド要素１４０−１（図３〜図５参照）を有し、ガイド要素１４０−１は、収容開口１１０−１（図３〜図５参照）内でハウジング１１０のスライダと同様にガイドされているので、保持要素１４０は、ハウジング１１０に対して変位可能である。したがって、切替えユニット１３０のスイッチもハウジング１１０に対して変位可能である。
【００３３】
したがって図１Ａ〜図２Ｂにおける両矢Ｐは、切替えユニット１３０のスイッチが組み込まれた保持要素１４０の摺動性に関係している。
【００３４】
この場合、ハウジング１１０は、保持要素１４０の領域に半球状の内側輪郭を有し、この場合、保持要素１４０は、ハウジング１１０の半球状の内側輪郭に対応して、半球状の外側輪郭を有するので、保持要素１４０ひいては組み込まれた切替えユニット１３０のスイッチは、所定の軌道上で、図１Ａ〜図２Ｂにおける＋／−ｚ方向に、上下に移動可能である。
【００３５】
切替えユニット１３０のスイッチが予め組み込まれた保持要素１４０は、第１の組立て部材として予め製作されていて、ハウジング１１０内で両矢Ｐに沿って可逆式に摺動可能に組み付けられる。
【００３６】
換言すると、切替えユニット１３０のスイッチが組み込まれた保持要素１４０の位置は、ロック解除ユニット１００の組立て後、ハウジング１１０ひいては作動要素１２０の切替えカムに対して変化可能である。
【００３７】
切替えユニット１３０のスイッチは、作動要素１２０が非作動の静止位置０に配置された状態で、第１の切替え点位置ａ）（図１Ａ参照）で、切替えカム１２０−１の外側輪郭の切替え面１２０−１１の付近に配置されていることが明らかである。
【００３８】
換言すると、切替えユニット１３０のスイッチのアクティブな切替え要素１３０−１と切替えカム１２０−１の外側輪郭との間の第１の間隔は小さい。切替えユニット１３０のスイッチの第１の切替え点位置ａ）で、保持要素１４０は、ハウジング１１０に対して少なくとも１つのストッパを形成するので、両矢Ｐの軌道に沿った保持要素１４０の摺動は、＋ｚ方向（図１Ａおよび図１Ｂでは上向き）に、保持要素１４０が、ハウジング１１０の、上側のストッパを形成するハウジング部分に当接するまで行われ、これにより第１のトリガ切替え点を精密に誤差なく設定可能である。
【００３９】
図１Ａと図２Ａとの比較により、図２Ａによる切替えユニット１３０のスイッチは、作動要素１２０が非作動の静止位置０に配置された状態で、第２の切替え点位置ｂ）で、切替えカム１２０−１の外側輪郭の切替え面１２０−１１からさらに離れて配置されていることが明確である。
【００４０】
換言すると、切替えユニット１３０のスイッチのアクティブな切替え要素１３０−１と切替えカム１２０−１の外側輪郭との間の第２の間隔は、切替えユニット１３０のスイッチが第１の切替え点位置ａ）に位置するときの第１の間隔よりも大きい。
【００４１】
切替えユニット１３０のスイッチの第２の切替え点位置ｂ）では、保持要素１４０は、同様にハウジング１１０に対して少なくとも１つのストッパを形成するので、両矢Ｐの軌道に沿った保持要素１４０の摺動は、−ｚ方向（図２Ａおよび図２Ｂでは下向き）に、保持要素１４０が、ハウジング１１０の、下側のストッパを形成するハウジング部分に当接するまで行われ、これにより第２のトリガ切替え点を精密に誤差なく設定可能である。
【００４２】
切替えユニット１３０のスイッチのアクティブな切替え要素１３０−１は、たとえばマイクロスイッチの金属製の切替えラグである。
【００４３】
ロック解除ユニット１００の前述の構成から以下の機能が得られる：
切替えユニット１３０のスイッチが第１の切替え点位置ａ）（図１Ａおよび図１Ｂ参照）に位置するのかまたは第２の切替え点位置ｂ）（図２Ａおよび図２Ｂ参照）に位置するのかに応じて、トリガ切替え点がより早くまたはより遅く得られる。
【００４４】
図１Ａによれば、切替えユニット１３０のスイッチのアクティブな切替え要素１３０−１と切替えカム１２０−１の外側輪郭との間の第１の間隔が小さいので、使用者の指Ｆが係合隙間Ｅ（図１Ｂ参照）に係合することに基づき作動要素１２０が作動させられることにより、既に、揺動軸線Ｙを中心とする作動要素１２０の第１の揺動角度αが得られると早くも切替えカム１２０−１の外側輪郭の切替え面１２０−１１と切替えユニット１３０のスイッチのアクティブな切替え要素１３０−１との間の接触が行われる。
【００４５】
スイッチの第１の切替え点位置ａ）を出発点とすると、第１の切替え角度αは、１０°である。作動要素１２０は、図１Ｂによれば、非作動の静止位置０を起点として、作動要素１２０をα＝１０°だけ完全に作動させると、第１の作動位置１に位置する。
【００４６】
原則的に、使用者が係合隙間Ｅに係合するのではなく、矢印で明確に示されるように、作動要素１２０の上側の領域で外側から作動要素１２０を押圧することによっても作動を行うことが可能であるが、この場合、比較的高い操作押圧力を及ぼさなければならないので、使用者が係合隙間Ｅに係合することによる操作引張り力がより快適であると感じられる。
【００４７】
これにより、早いトリガ切替え点を有するべきロック解除ユニット１００を実現することが可能である。この早いトリガ切替え点は、快適な操作に関係しており、その操作において、既に作動要素１２０のわずかな作動運動により切替え点が得られる。得られる早いトリガ切替え点に依存して、要求に応じて、対応する作動を開始して実行することが可能である。たとえばテールゲートのロック解除機構をトリガすることが可能であるので、テールゲートは、手動でまたは自動的に開く。
【００４８】
図２Ａによれば、切替えユニット１３０のスイッチのアクティブな切替え要素１３０−１と切替えカム１２０−１の外側輪郭との間の第２の間隔が第１の間隔よりも大きいので、使用者の指Ｆが係合隙間Ｅ（図２Ｂ参照）に係合することを介して作動要素１２０が作動させられることにより、揺動軸線Ｙを中心とする作動要素１２０の第２の揺動角度βが得られてようやく切替えカム１２０−１の外側輪郭の切替え面１２０−１１と切替えユニット１３０のスイッチのアクティブな切替え要素１３０−１との間の接触が行われる。
【００４９】
スイッチの第２の切替え点位置ｂ）を出発点とすると、第２の切替え角度βは、２７．５°である。作動要素１２０は、図２Ｂによれば、非作動の静止位置０を起点として、作動要素をβ＝２７．５°だけ完全に作動させると、第２の作動位置２に位置する。
【００５０】
これにより、遅いトリガ切替え点を有するロック解除ユニット１００を実現することが可能である。この遅いトリガ切替え点は、特に乗員室から仕切られた荷物室を有しない車両の場合に有利である。これにより、衝突時、衝突に起因する、揺動軸線Ｙを中心とする作動要素１２０の揺動運動が、遅れてまたはより遅れてようやく行われる、つまり大きなまたは第１の切替え角度αよりも大きな第２の切替え角度βにおいてようやく行われることが保証される。達成された遅いトリガ切替え点に基づき、より早いトリガ切替え点と同様に、要求に応じて、対応する作動を実行することが可能である。たとえば、テールゲートのロック解除機構は、遅く、つまり遅いトリガ切替え点が得られてようやくトリガすることが可能であるので、テールゲートは、手動でまたは自動的に開く。
【００５１】
もちろん、説明されたストッパの間でハウジング１１０に対する保持要素１４０の位置調整範囲内のトリガ切替え点の設定は可変であり、切替え角度の角度表示α，βは例示したものにすぎない。
【００５２】
図３は、図３には示されていない作動要素１２０からロック解除ユニット１００のハウジング１１０の方向に観察した、斜め横下から見たロック解除ユニット１００の斜視図であって、別の技術的な詳細を補足的に示している。
【００５３】
切替えユニット１３０が組み込まれた保持要素１４０は、ハウジング１１０の収容開口１１０−１を通って差し込まれている。切替えカム１２０−１に向けられたアクティブな切替え要素１３０−１が認められ、切替え要素１３０−１は、本実施の形態では、マイクロスイッチの金属製の切替えラグである。さらに保持要素１４０の係合要素１４０−２が図示されており、係合要素１４０−２により、切替えユニット１３０のスイッチは、組立て状態で、不動に保持要素１４０に係止／クリップ留めされている。
【００５４】
図４は、作動要素１２０の揺動軸線Ｙのほぼ長手方向に作動要素１２０の作動部材１２０−１を横から見たロック解除ユニット１００の斜視図を示している。ハウジング１１０は、断面で図示されており、この場合、図４では、ハウジング１１０の断面は、符号１１０−Ｓで表されている。保持要素１４０は、図４では、図２Ａおよび図２Ｂと同様にここでも第２の切替え点位置ｂ）に配置されている。
【００５５】
この図において、保持要素１４０は、係止要素１４０−２の他に側方のガイド要素１４０−１をさらに含み、この場合、それぞれの側に少なくとも２つのガイド要素１４０−１が配置されていることが明らかである。側方のガイド要素１４０−１は、保持要素１４０を、円弧状に構成された収容開口１１０−１の縁に沿ってガイドする。側方のガイド要素１４０−１は、組立て状態で、縁に上から係合し、この場合、ハウジング１１０の収容開口１１０−１は、所定の差込領域を有し、この差込領域に、保持要素１４０の側方のガイド要素１４０−１が差込み可能であり、続いて位置決め可能であるので、側方のガイド要素１４０−１は、収容開口１１０−１の縁に上から係合する。この場合、側方のガイド要素１４０−１は、ハウジング側の一端に所定の輪郭を有し、この輪郭は、この輪郭に対応する、ハウジング１１０の収容開口１１０−１の縁に配置された位置決め凹部１１０−２に係合する。
【００５６】
保持要素１４０の、図示された第２の切替え点位置ｂ）では、それぞれ２つの側方に配置されたガイド要素１４０−１が、それぞれ２つの位置決め凹部１１０−２に係合し、この場合、保持要素１４０の、不可視の背面側に同様の構成が存在する。このような構成手段は、第２の切替え点位置ｂ）における位置決めを確保するものであり、作業者がハウジング１１０に対する保持要素１４０のある種の係止運動により正しい位置決めを認識するという利点を有する。したがって、図示された第２の切替え点位置ｂ）から第１の切替え点位置ａ）への、図４において右方の摺動時、作業者に、先ず保持要素１４０の、知覚可能な係止解除運動をもたらし、これは、保持要素１４０の摺動運動の実行後、別の所定の位置決め凹部１１０−２への係止運動をもたらす。
【００５７】
図４は、図面の下縁に固定要素１４０−３１をさらに示しており、固定要素１４０−３１は、Ｙ揺動軸線に関して半径方向に見て離反して延在する、保持要素１４０のプレート１４０−３に配設されている。固定要素１４０−３１は、ｙ方向に延在していて、切替え点位置ａ）またはｂ）に応じて、固定収容部１１０−３（図６参照）に係合し、固定収容部１１０−３は、ハウジング１１０に形成されており、これについては図６の説明と関連してさらに詳しく言及する。複数の固定要素１４０−３１のうちの１つは、好適には、常に各々の切替え点位置ａ）またはｂ）において固定収容部１１０−３に係合することにより、ハウジング１１０に対する保持要素１４０の位置を固定するので、ハウジング１１０に対する保持要素１４０の不意の変位によって、所望されるトリガ切替え点の変更が生じることはない。
【００５８】
図６は、位置決め突起１４０−４を示している。位置決め突起１４０−４は、作業者に切替え点位置ａ）またはｂ）を示すものである。というのもハウジング１１０の収容開口１１０−１の縁に、各々の切替え角度αまたはβの対応する角度表示が位置決め矢印１１０−４（図６参照）で記入されているからである。図６では、位置決め突起１４０−４は、位置決め矢印１１０−４を指しており、この位置決め矢印１１０−４に、遅れたトリガ切替え点を有する、切替え点位置ｂ）に対応する切替え角度β（たとえば２７．５°）が記入されている。
【００５９】
図５は、保持要素１４０の平面図であり、主に、側方の観察方向で保持要素１４０を示している図４についての記述で既に説明された構成手段を再度示している。図５では、観察者は、Ｙ揺動軸線に対して半径方向で、保持要素１４０と、組み込まれた切替えユニット１３０と、アクティブな切替え要素１３０−１とを観察している。
【００６０】
図６は、さらに別の斜視図で、どのようにして作業者が各々の切替え点位置ａ）またはｂ）において切替えユニット１３０の位置決めを行うのか明示している。位置決め突起１４０−４および位置決め矢印１１０−４については既に言及した（図４およびこれに附随する説明参照）。保持要素１４０は、図６では、図２Ａおよび図２Ｂと同様に、ここでも切替え角度β（たとえばβ＝２７．５°）の第２の切替え点位置ｂ）に配置されている。
【００６１】
プレート１４０−３に配置された固定要素１４０−３１は、係合された位置で、固定収容部１１０−３に係合し、保持要素１４０ひいては切替えユニット１３０を、収容開口１１０−１の長手方向に見て収容開口１１０−１に沿って変位しないように固定している。切替え角度βを有する第２の切替え点位置ｂ）から切替え角度αを有する第１の切替え点位置ａ）への変位は、保持要素１４０の固定レバー１４０−５の作動面を作業者が押圧操作することにより行われる。固定レバー１４０−５は、プレート１４０−３の一部であり、固定収容部１１０−３から離れるように固定レバー１４０−５を動かすと、固定収容部１１０−３から固定要素１４０−３１が外れる。作業者は、続いて好適には固定レバー１４０−５を用いて、保持要素１４０を、切替え角度αを有する第１の切替え点位置ａ）に摺動し、第１の切替え点位置ａ）では、別の固定要素１４０−３１が位置固定の固定収容部１１０−３に係合するので、保持要素１４０は再び固定される。
【００６２】
最後に、この説明によれば２つの切替え点位置ａ）およびｂ）が形成されており、これにより２つのトリガ切替え点が得られることに留意すべきである。もちろん、本発明によれば、３つ以上の切替え点位置およびトリガ切替え点が実現可能である。というのも保持要素１４０ひいては切替えユニット１３０が、ハウジング側の収容開口１１０−１内であらゆる任意の位置を占めることが可能であるからである。
【符号の説明】
【００６３】
１００  ロック解除ユニット
１１０  ハウジング
１１０−Ｓ  断面
１１０−１  収容開口
１１０−２  位置決め凹部
１１０−３  固定収容部
１１０−４  位置決め矢印
１２０  作動要素
１２０−１  作動部材（切替えカム）
１２０−１１  切替え面
１３０  切替えユニット
１３０−１  切替え要素
１４０  保持要素
１４０−１  ガイド要素
１４０−２  係合要素
１４０−３  プレート
１４０−３１  固定要素
１４０−４  位置決め突起
１４０−５  固定レバー
２００  構造要素
Ｅ  係合隙間
Ｆ  指
Ｖ  結合
０  作動要素の静止位置
１  第１の作動位置
２  第２の作動位置
ａ）  第１の切替え点位置
α  第１の切替え角度
ｂ）  第２の切替え点位置
β  第２の切替え角度
Ｐ  両矢
−ｘ  車両の通常の走行方向での方向
＋ｘ  通常の走行方向−ｘとは逆向きの方向
Ｘ  作動要素およびハウジングの長手方向中央軸線
ｙ  ｘ方向に対して横向きの水平の方向
Ｙ  作動要素の揺動軸線
＋ｚ  ｘ方向に対して横向きで上向きの鉛直の方向
−ｚ  ｘ方向に対して横向きで下向きの鉛直の方向
【図１Ａ】
2019534962.tif 000003
【図１Ｂ】
2019534962.tif 000004
【図２Ａ】
2019534962.tif 000005
【図２Ｂ】
2019534962.tif 000006
【図３】
2019534962.tif 000007
【図４】
2019534962.tif 000008
【図５】
2019534962.tif 000009
【図６】
2019534962.tif 000010
【国際調査報告】
2019534962.tif 000011
2019534962.tif 000012
2019534962.tif 000013
2019534962.tif 000014
2019534962.tif 000015
2019534962.tif 000016